(57)【要約】本発明は交換局内のデータ圧縮方式の通信システムにおいて送信加入者と受信加入者との間の接続を変更するための方法であって、交換局に到着しフレーミングプロトコルに従ってフォーマットされたデータフレームが、データフレームの長さに無関係に、フレーミングプロトコルに従ってフォーマットされた新しいデータフレームにより置換され、質的損失および時間的損失なしに付加の情報が接続に供給され得る方法に関するものである。  さらに本発明は交換局内のデータ圧縮方式の通信システムにおいて送信加入者と受信加入者との間の接続を変更するための装置であって、交換局に到着しフレーミングプロトコルに従ってフォーマットされたデータフレームが、データフレームの長さに無関係に、フレーミングプロトコルに従ってフォーマットされた新しいデータフレームにより置換され、質的損失および時間的損失なしに付加の情報が接続に供給され得る装置を提供する。【特許請求の範囲】
【請求項１】
交換局内のデータ圧縮方式の通信システムにおいて送信加入者と受信加入者との間の接続を変更するための方法において、
フレーミングプロトコルに従ってフォーマットされ交換局に到着したデータフレームが、データフレームの長さに無関係に、フレーミングプロトコルに従ってフォーマットされた新しいデータフレームにより置換され、質的損失および時間的損失なしに付加の情報が接続に供給され得るようになっており、または
交換局に到着するデータフレームが除去され、または
交換局に到着するデータフレームが欠けている際には１つまたは複数の新しい、フレーミングプロトコルに従ってフォーマットされたデータフレームが発生され、接続に挿入される
ことを特徴とする方法。
【請求項２】
データ圧縮方式の通信システムとしてＵＭＴＳシステムが選ばれることを特徴とする請求項１記載の方法。
【請求項３】
データフレームの各長さに関係して、交換局に到着するデータフレームも新しいデータフレームも各パケットヘッド領域を備える１つまたは複数のＡＡＬ２パケットにセグメント化されることを特徴とする請求項２記載の方法。
【請求項４】
ＡＡＬ２パケットの各パケットヘッド領域に、どのデータフレームに各ＡＡＬ２パケットを対応付けるべきかが指示されることを特徴とする請求項３記載の方法。
【請求項５】
ＡＡＬ２パケットの各パケットヘッド領域に、データフレームに対応付けるべき他の後続のＡＡＬ２パケットが続くかどうかが指示されることを特徴とする請求項３または４記載の方法。
【請求項６】
置換が開始される前に、変更すべき接続のデータフレームの終端が待たれ、そのために、ＡＡＬ２パケットからデータフレームが再び作成されるのではなく、各パケットヘッド領域の評価によってのみデータフレームの終端が確認されることを特徴とする請求項３ないし５のいずれか１つに記載の方法。
【請求項７】
ＡＡＬ２パケットが受信する加入者に特殊化されるＡＴＭセルに捕捉されることを特徴とする請求項３ないし６のいずれか１つに記載の方法。
【請求項８】
交換局内のデータ圧縮方式の通信システムにおいて送信加入者と受信加入者との間の接続を変更するための装置において、
フレーミングプロトコルに従ってフォーマットされ交換局に到着したデータフレームが、データフレームの長さに無関係に新しいデータフレームにより置換され、質的損失および時間的損失なしに付加の情報が接続に供給され得るようになっており、または
交換局に到着するデータフレームが除去され得るようになっており、または
交換局に到着するデータフレームが欠けている際には１つまたは複数の、フレーミングプロトコルに従ってフォーマットされたデータフレームが発生され、接続に挿入され得るようになっている
ことを特徴とする装置。
【発明の詳細な説明】
【技術分野】
【０００１】
本発明はＵＭＴＳ標準のようなデータ圧縮方式の通信システムの交換局に到着するデータフレームを置換するための方法および装置に関するものである。
【０００２】
汎用移動通信システム（ＵＭＴＳ）は、移動端末装置の加入者に多数のサービスを提供する複数の移動無線システムの１つである。
【０００３】
ＵＭＴＳは１８８５〜２０２５ＭＨｚおよび２１１０〜２２００ＭＨｚの範囲内で動作し、また狭帯域の移動無線システムのこれまでに知られている機能を超えて２Mbit/ｓまでのデータ速度をも可能にする。
【０００４】
全世界的に加入者に第３世代の統一的な移動無線システムを提供し、また始めてたとえばデュアルバンド及びデュアルモードターミナルを有するＧＳＭ（Global System for  Mobile Communication）のような技術的に異なるネット間のローミング（Roaming）およびハンドオーバー（Handover）を可能にすることが移動無線システムＵＭＴＳの１つの目的である。
【０００５】
ＵＭＴＳ標準に基づく通信網は、加入者Ａおよび加入者Ｂに対する種々のコーデック（Codec）モードの選択に基づいて、またはＴｒＦＯ（Transcoder Free Operation）の中断の際に、ＵＭＴＳ移動スイッチングセンター（UMSC）に存在する接続をＡＭＲ（Adaptive-Multi-Rate）コーデックモードから他のＡＭＲコーデックモードへのトランスコーディングをする機能を必要とする。移動無線網のエアーインタフェースの言語チャネルを経て加入者の通話がたとえばＵＭＴＳにおけるＡＭＲコーデックを用いて圧縮されて伝送される。ＡＭＲコーデックはそれに対して特有の、言語データを圧縮するアルゴリズムを含んでいる。移動無線網のＲＮＣ（Radionetworkcontroller）はＵＭＴＳ言語接続の構成の前に、言語接続が走るべき交換局とのＡＭＲモードのＳｅｔを決める。それ以外の情報を接続または通話に供給し得るためには、交換局のなかで接続に干渉することが必要である。従ってここでも、たとえばＴＤＭベースでトーンを供給するため、存在する接続をＡＭＲコーデックモードから再び同じＡＭＲコーデックモードへまたは他のＡＭＲコーデックモードへコード化することが必要である。
【０００６】
このようなトランスコーディングは従来からの方法で、第１のコーデックモードで伝送されたデータの１３ビットを有する１６０の線形のサンプルへのデコーディングと、第２のコーデックモードへの後続のエンコーディングとにより実行される。そのために、無線ネットワークＵＴＲＡＮから２０ｍｓの間隔で送られるデータフレームのなかで交換局に伝送されるデータがデコーディング装置を用いてデコーディングされ、その際にデータは前もって第１のＡＭＲ（Adaptive-Multi-Rate）コーデックモードでコード化された。たとえば言語データの場合には、言語フレームに含まれている言語データがそれらのデコーディングの後にたとえば１３ビットの長さを有する線形にパルスコード変調された（ＰＣＭ）語に変換される。これらは続いていわゆるＡ／μ法則に従って８ビットの情報量を有する語に圧縮され、また時分割多重化結合領域を介して時分割多重化される。時分割多重化されたデータはたとえば１３ビットの情報量を有する線形にパルスコード変調された語に脱圧縮され、また続いて新しいＡＭＲコーデックモードにコード化される。
【０００７】
トーンやアナウンスを挿入するために同期して機能するＴＤＭ結合領域を使用することにより、コーディングおよびデコーディングが必要であり、このことは付加のコーダシステムユニットまたはデコーダシステムユニットを必要とする。
【０００８】
ＵＭＴＳ標準に基づく通信網内の種々のネットセクションに関係して、接続のなかで種々のＵＭＴＳ標準バージョンが使用され得る。
【０００９】
本発明の課題は、たとえばＴＤＭベースでのデコーディングおよび後続のＡＴＭベースでのバックコーディングなしにトーンやアナウンスの挿入が実行され得るように、接続のデータフレームを他のデータフレームにより置換することを可能にする方法および装置を提供することである。
【００１０】
この課題は本発明によれば請求項１による方法、請求項８による装置により解決される。本発明の他の有利な実施形態は対応する従属請求項にあげられている。
【００１１】
請求項１によれば、この課題は、交換局内のデータ圧縮方式の通信システムにおいて送信加入者と受信加入者との間の接続を変更するための方法において、フレーミングプロトコルに従ってフォーマットされ交換局に到着したデータフレームが、データフレームの長さに無関係に、フレーミングプロトコルに従ってフォーマットされた新しいデータフレームにより置換され、質的損失および時間的損失なしに付加の情報が接続に供給され得る方法により解決される。
【００１２】
データフレームは種々の長さを有することができる。
【００１３】
本発明による方法の好ましい実施形態では、データ圧縮方式の通信システムとしてＵＭＴＳシステムが選ばれる。ＧＥＲＡＮシステム（GSM Edge Radio Access Network）の使用も考えられ得る。本発明による方法は、伝送がＡＴＭ（Asynchronous Transfer Mode）伝達テクノロジーを用いて行われるＩＰデータフレームの置換の際に同じく応用可能であり、その際には次いで本発明による方法によりＩＰデータフレームがＩＰデータフレームにより置換される。
【００１４】
好ましくは、それらの各長さに関係して、交換局に到着するデータフレームも新しいデータフレームもそれらの各長さに関係して各１つのパケットヘッド領域を設けられている１つまたは複数のＡＡＬ２パケットにセグメント化される。
【００１５】
さらに、ＡＡＬ２パケットの各パケットヘッド領域に、どのデータフレームに各ＡＡＬ２パケットを対応付けるべきかが指示される。
【００１６】
本発明による方法の特に好ましい実施形態では、ＡＡＬ２パケットの各パケットヘッド領域に、データフレームに対応付けるべき他の後続のＡＡＬ２パケットが続くかどうかが指示される。
【００１７】
このことは、交換局に到着する各データフレームにまさに１つのデータパケットが対応付けられるのではなく、１つのデータフレームが２つまたは複数のＡＡＬ２パケットによりセグメント化され、それらが再びＡＴＭセルを用いて伝達されることを意味する。
【００１８】
完全な最初に交換局に到着するデータフレームであって、あとでさらに相応に正しい順序で先へ伝達される１つまたは複数のＡＡＬ２パケットにセグメント化されているデータフレームが置換されることを保証するため、ＡＡＬ２パケットが終了パケットであるか否かがそれぞれ検出可能でなければならない。さらに、ＡＡＬ２パケットが先行のＡＡＬ２パケットの後続パケットであるかどうか、またＡＡＬ２パケットに対して後続パケットが存在するかどうか、が識別可能でなければならない。
【００１９】
ＩＴＵ-Ｔ勧告I.362.2およびI.366.1に従って、データフレームへの所属を決めるため、パケットヘッド領域のなかのデータパケット、ＵＭＴＳシステムにおいてはそれは相応のＣＰＳパケットヘッド領域を有するＣＰＳパケット、が標識を付けられる。そのためにパケットヘッド領域の部分領域、すなわちいわゆる領域ＵＵＩ（user-to-user indication）が使用される。データフレームがただ１つのデータパケットを含んでいるならばＵＵＩ値＜２７が使用される。データフレームが複数のデータパケットを含む場合には、データフレームのすべてのデータパケットにおいてＵＵＩ＝２７がセットされ、最後のデータパケットにおいてのみ次いでＵＵＩ＜２７がセットされる。
【００２０】
データフレームを置換するためには先ず、これらのデータフレームを全体として認識することが必要である。本発明による方法の好ましい実施形態に相応して、そのために、データフレームの個々のデータパケットから完全なデータフレームを再び作ることは必要でない。そのためにはパケットヘッド領域の部分領域、すなわち各々のデータパケットの既に説明されたＵＵＩ領域を検査すれば十分である。これは"ＵＵＩモニタリング"と呼ばれる。新しいデータフレームはＵＵＩ＜２７を有するパケットの後に開始する。
【００２１】
データフレームの置換が開始されるべきであれば、まず、変更すべき接続に対するデータフレーム（ＵＵＩ＜２７を有するパケット）の終了が待たれる。それにより、不完全なフレームが到着することが避けられるべきである。その後に完全なフレームが完全なフレームにより置換される。
【００２２】
本発明の本質的な点は、交換局内で送信する加入者と受信する加入者との間の接続のなかに、コード化装置およびデコーディング装置および時分割多重化結合領域を迂回して、別の情報が供給され得ることにある。
【００２３】
新しいデータフレームの長さは本発明によりいまや受信する加入者に対して特有に選ばれる。
【００２４】
本発明による方法の別の好ましい実施形態では、交換局において１つまたは複数のデータパケットにセグメント化される新しいデータフレームに、付加の情報が供給される。新しいデータパケットはたとえばトーンまたはアナウンスを含む。
【００２５】
本発明の利点はなかんずく、ＴＤＭ結合網を経ての迂回がもはや必要でないことにある。従来はトーンまたはアナウンスを挿入するためにデコーディングがＴＤＭベースで実行され、次いで、言語バイトがトーンバイトにより置換され、その後にバックコーディングがＡＭＲベースで行われることによって、トーンまたはアナウンスがＴＤＭベースで挿入されなければならなかった。
【００２６】
データフレームの長さは通常所望のコーデックモードおよび各データフレームの利用情報に関係している。その際にたとえば、送信側の加入者が話をしないときに送られる休止フレーム、いわゆるＳＩＤフレームも１つまたは複数の場合によってはより長いトーンフレームにより置換することができる。
【００２７】
接続に付加の情報を供給するため、本発明による方法は、ただ１つの空のデータフレームが交換局に到着する場合には同じく応用可能である。加入者Ａがたとえばデータを送らずに空のデータフレームのみが送られるならば、受信する加入者Ｂに対してそれにもかかわらず情報が接続に供給され得る。交換局はその際空のデータフレームおよびそれらの各開始を検出し、次いで空のデータフレームの代わりに１つまたは複数の新しいデータフレームのなかで情報を受信加入者Ｂに送る。
【００２８】
変更されない接続に、たとえばより長い言語休止の際に、データフレームが到着しないと、データフレームの置換は不可能である。この場合には本発明によりたとえばトーンを有する新しいデータフレームが接続に対して予定されているラスターに挿入される。
【００２９】
他方、本発明によれば、データフレームを置換することなしに、データフレームを除去することも可能である。これはたとえば言語休止を接続に挿入したい場合である。
【００３０】
さらに本発明は、交換装置内のデータ圧縮方式の通信システムにおいて送信加入者と受信加入者との間の接続を変更するための装置であって、フレーミングプロトコルに従ってフォーマットされ交換局に到着したデータフレームが、データフレームの長さに無関係に、フレーミングプロトコルに従ってフォーマットされた新しいデータフレームにより置換され得ること、または交換局に到着するデータフレームが除去され得ること、または交換局に到着するデータフレームが欠けている際には１つまたは複数の、フレーミングプロトコルに従ってフォーマットされたデータフレームが発生され、接続に挿入され得ることを特徴とする装置を含んでいる。
【国際調査報告】
2005538654.tif 000002
2005538654.tif 000003
2005538654.tif 000004
2005538654.tif 000005
2005538654.tif 000006
2005538654.tif 000007